(57)【要約】　　　（修正有）【課題】ルール内で、球とフェースがよりこすれ合うようにしたクラブヘッドを提供する。【解決手段】球に使われている硬質ゴムより硬質のゴムからなるヘッドを有するものとする。【選択図】図２
2004105688.tif 000002
【特許請求の範囲】
【請求項１】
球に使われて居る硬質ゴムより、更に硬質のゴムで作るクラブのヘッド。
【請求項２】
ゴムと自然界の物質、又は、合成物質等を混合して作る、クラブのヘッド。
【請求項３】
ゴム類を使わずに、その他の物質だけで作る、クラブのヘッド。
【請求項４】
柿等の天然木材を使って作る、アイアン・パター等のヘッド。
【発明の詳細な説明】
【０００１】
【産業上の利用分野】
裁定集規則第４条には、次の様な記載がある。それは、フェースは球よりも硬く、堅牢に作らなければならない、という下りである。
球より硬く、とは一体どういう事なのだろう？　仮りに、既製の球の硬質度を１００度とする。つまり、１０１度の硬質度で作られたゴム製のヘッドは、ＯＫ、という事である。
球の改造は難かしく、チョットやソットではどうにもならない。そこで、球の事は決定事項として、クラブヘッドの改造をこころ見る。ヘッドの改造は未開発の分野であり、そこには千変萬化、無限の可能性が秘め穏されて居る。
【０００２】
【従来の技術】
球を鉄のフェースでこするのと、球をゴムのフェースでこするのとでは、自らそのこすれ方が違う。既述の如く、従来にない１０１度の硬質ゴムで新パターを作ったとしても、これだけではパット界に影響を及ぼす程のエネルギー源にはなり得ない。理由は、現行の如く球を正面に置いて打つ打ち方では、球とフェースがこすれ合う打球は出来ない、と決って居るからである。
現行のパターは、正面に置かれた球を打つ様に設計されて居、用具がこのままでは、ヘッドをゴムで作るという発想はトン死、にならざるを得ない。こすれ合う打球の観察は、自然の流れで、球の位置やパターの改革、それに打球フォームの根本革命えと、エスカレートを余義なくされる。
こすれ合う場を作る為に先ず、球の位置を左辺に決める。そして、ヘッドの厚さも１ｃｍにする。左辺の球を打ち易くする為に、ソールを三角定規的に鋭角にし、球の下辺にヘッドがもぐり込める様にする。
現行のパットのフォームは肩軸であるが、これを止めて、右ヒザないし右下腹を軸とする。ヒザ軸打法に改める。手と球が近づくと、自然法則的にコントロールの効いた、小きみ良い打球を連発出来る様になる。シャフとも７ｃｍぐらい短かくする。シャフト角も１０度ぐらいにする。シャフトを身体に近づけ、シャフトを立てて使う。従来のパットの常識、の大半を捨て去る。そして心機一転、出直す、ということ、相撲で言うと、仕切り直しなわけである。
【０００３】
【発明が解決しようとする課題】
卓球に見られるカット打ちとは、鋭く早く、１ｃｍぐらいの板を切り動かすということ・・・。パットには、カット打ちという言葉はない。鉄のフェースと球とはもともと、カット打ちは出来ない仲にあり、意識的にカット打ちしても、殆んど成果は上がらない。
球とフェースが、よりこすれ合う為には、どこをどう改造すれば良いのか？答えは簡単、ゴムとゴム、ゴムの球とゴムのフェスという関係を作り出す、ということ。
ゴムはゴムでも、このゴムには硬質度というテーマがつきまとって居、或程度まで硬質化すると、ゴムの性質は殆んどなくなる関係にある。柔軟にすればする程良い、という事でもなく、最適の硬質度とは或一点と決って居る。
【０００４】
【課題を解決する為の手段】
現行のパットは、打ち方にしても用具にしても既に完成して居て、これに手を加える事は難問中の難問、こんなところでウロウロして居ても仕方がない。そこで、先にチラット触れて居る様に、大志を抱いて、打法の全面改革に挑戦、新なる統一点を目指して、虎視たんたん・・・。
仮りに左足前の左、２０ｃｍのところに球を置いて、周辺との係り具合を考察して見る。先程の１ｃｍの厚さの、そして、ソールを鋭角にカットしたヘッドを球の下辺にもぐらせてアドレス。この後、１〜２ｃｍのバックを取って打球。ソョートは普通に、そのままヘッドを走らせて球を前に転がす。ミドルとロングはシッカリ、カット打ちで行く。ピッチエンドランを意識し乍ら打つと、球は遠く迄よく転がって行く・・・。
裁定集には、１〜２ｃｍのバックでも球は正しく打てる、という記述がある。これを根拠に、バックは１ｃｍに決める。このバックは、従来のバックの様に惰力をつけるバックではなく、単に、タイミングを取る為のバック、という調子のもの。この後、打球という事であるが、少し打ちなれて来ると、この打ち方で３０ｍぐらい球が転がって行く。３０ｍを越えるロングは普通はないから、これ以上の長さを考える必要はない。
注意点は、カット打ちでは、打つという考えを、放棄するという事。卓球ではす早く短かくバックを取って、鋭く強くカット打ちするが、球を左辺に置いて打つこのカット打ちでも、打ち方は同様である。１ｃｍを厳守のこと・・・。どう工夫しても、とても３０ｍは行かないという人は、球を送る、又は、球を投げるというイメージで、ユックリすくい打つ、フェースに乗せる感じてヘッドを走らすと良い。すくい上げはワンペナであるが、すくい打ちはＯＫである。
更に新パット、カット打ちの解明を続ける。打球時の目線は、カップインラインと決める。カップインラインに集中して、球を見ずに球をめくら打ちする。石を投げる時でもピッチャーが球を投げる時でも、決して、石や球は見ない。目的に集中して投げるから、球は、ストライクコースを突っ走れるのである。
球が左辺だなんで寝耳に水、めくら打ちだなんて言語道断？？？。かかる前代未聞の新打法は、意外な、ドラマチックな効果を同居させて居た。先ず、見なれた首振り現象がなくなる。ヘッドアップと今臨際お別かれ。スエーがピタリと止まる。パット特有の緊張感がウソの様に雲散霧消する。球を手で打つ実感でリラックスして打てる。これが本当のパットである、という思いが心の底から湧出する。今迄やって来た事がおかしく見え出す。時代が変わる、という思いにかられ出す。
要するに教本に出て来るチェックポイントがセットで退散する。上手も下手も、あまり、関係がなくなる。という夢まぼろしのパット・・・・・・・・・。かかる新打法を一点集中打法、と名づける。従来の打法は、カップと球の両方を同時に見るから、二点集中打法である。ここ迄読み進めると、最早、一点集中打法の市民権取得は、時間の問題と分って来る。
【０００５】
【作用】
パットは難かしい、パットは意外性が強い、と良く言われて来たが、この主たる原因は、パットに確固たる終始一貫のシナリオがなかった、という事である。誰をも責めるわけには行かないが、回想的に思うに、かかる一連の答えは、とっくの昔に出た可能性は常にあった。パットの上達は練習しかない、という発祥以以来の常識が、ここに来て、音を立てて崩れ出した。パット上達の、最も進化した秘法は、一点集中打法を学習する事だ、と言い切れる状況になりつつある。
食うか食われるかの猛獣の世界では、眞正面に獲物を見て追う。間違っても、現行パットの様に、横向きで追ったり等の不合理はしない。パットの手本、パットの奥義は、自然界に厳しゆくに存在する。
という事は、未だ誰も気づいて居ない様であるが、現行の横向き打法というのは、進化の過程にある、半端打法という事である。
ぼう張し、発展を続ける、新パットという名の宇宙・・・。このパットは、今、新しい時節を迎えつつある様である。横向きの外に、タテとか？斜めとか？何とか？目新しい打ち方がある、というのか？？？？あります？
それは、前を向いて打つ、前向き打法である。前向き打法の宗祖は、アメリカの、サム・スニード、というパットの名手である。サム・スニードは、サイド・サドルを実戦で登場させたが、しかし乍ら、この新打法は、他人が眞似をしたという記録はなく、尻切れトンボで終った様で、こういう打ち方があった、という事が、史実にチラット顔をのぞかせて居るだけである。
ところが、今、ここに来て、この前向き打法が俄かにクローズアップされる事態となって来た。一点集中打法と、サイド・サドルが、合流の運びとなったという次第である。
【０００６】
【実施例】
一時期プロの間で、一番アイアンをパター代りに使う、という事が流行した。つまり、ロフトがパターと略同じであり、溝が着いて居る分、面白いという理由からだったが、大した事にはならず、好奇心に誘われてという現象にとどまった。ここに登場の発想は、自然の流れで当然１番アイアンに飛火する。どうして１番なのかというと、パターという名前ではルール上溝を着けられないからだ。
１番アイアンのヘッドを、１０１番の硬質ゴムで作り、シャフトを短かくし、シャフト角を１０度ぐらいとし、ミゾの着いたパターにするというわけである。ルールが、一連の発想を、ＮＯ、と否定したとすると、この研究はくたびれもうけで終わる。長いものに勝った、短いものは史上ひとつもない。ただ言える事は、現行のルールが続く限り或程度行けるのではないか、という事だけである。ルールはゴルフ界の健全な発展の為にあり、主観的には、これに向った取組みという印象があり、したがって、問題提起の或部分は肯定されると思われ、全面否定は考えにくい。例えば、柿の木、又は、球より硬い合成物質、混合物質で作る１０１度のヘッド、これ等は、慣習やルール上の言葉を根拠にした発想、したがってルールはこれを、おいそれと否定出来がたい関係にある。
【０００７】発明の効果
図１は、従来の横向き打法平面図。図２は、サイド・サドル平面図である。サイド・サドルはベースボールグリップで打つ。
パットの緊張の主たる原因は二点集中打法にある。一点集中打法は、緊張に無縁の打法であり、これで緊張を体験したくても出来ないと決って居る。二点集中打法とは、精神分裂強要打法と表現出来、恐らく、プロ、アマ界に巣喰う、１ｍの３パット、という一語は、サイド・サドルの出世と時を同じくして、死語になると思われる。
【図面の簡単な説明】
図１は、従来のパット平面図。
図２は、サイド・サドルの平面図。
図３は、ヒザ軸打法の実況図
【図１】
2004105688.tif 000003
【図２】
2004105688.tif 000004
【図３】
2004105688.tif 000005